(57)【特許請求の範囲】
【請求項１】
表示画面である表示部に視標画像を表示させる表示器本体が設けられた視標表示器と、
前記視標表示器に表示させる視標画像を選択するための選択手段と、
前記視標表示器の前記表示画面の外に設けられて被検眼の検査に用いられる画面外ランプと、
前記視標表示器に設けられ、前記表示画面の表示制御を行うとともに前記画面外ランプの点灯制御を行う視標制御装置と、
選択された視標画像の画像信号を前記視標制御装置に入力するメイン制御手段と、を備え、
前記視標制御装置は、前記メイン制御手段から前記画像信号が入力されると前記表示画面に前記画像信号による視標画像を表示させるとともに、前記画面外ランプの点灯を必要とする検眼モードのモード検出用画像信号が前記画像信号に含まれる場合に前記画面外ランプを点灯させることを特徴とする検眼システム。
【請求項２】
請求項１に記載の検眼システムにおいて、前記画面外ランプは前記表示画面の周囲に設けられたグレアランプであり、前記モード検出用画像信号はグレアテストモード検出用画像信号を含むことを特徴とする検眼システム。
【請求項３】
表示画面である表示部に視標画像を表示させる表示器本体が設けられた視標表示器と、
前記視標表示器に表示させる視標画像を選択するための選択手段と、
前記視標表示器の前記表示画面の外に設けられて被検眼の検査に用いられる画面外ランプと、
選択された視標画像の画像信号を前記視標表示器に入力して前記表示画面に前記画像信号による視標画像を表示させるメイン制御手段と、を備える検眼システムであって、
前記メイン制御手段は、前記画面外ランプの点灯を必要とする検眼モードのモード検出用画像信号が前記画像信号に含まれる場合に、前記画面外ランプを点灯させ、
前記画面外ランプは前記表示画面の上側に設けられた固視灯であり、
前記モード検出用画像信号はマドックスロッドを用いた斜位検査の信号であることを特徴とする検眼システム。
【請求項４】
請求項３に記載の検眼システムにおいて、前記モード検出用画像信号は黒又は黒に近い色の暗画像信号であることを特徴とする検眼システム。
【請求項５】
表示画面である表示部に視標画像を表示させる表示器本体が設けられた視標表示器と、
前記視標表示器に表示させる視標画像を選択するための選択手段と、
前記視標表示器の前記表示画面の外に設けられて被検眼の検査に用いられる画面外ランプと、
選択された視標画像の画像信号を前記視標表示器に入力して前記表示画面に前記画像信号による視標画像を表示させるメイン制御手段と、を備える検眼システムであって、
前記メイン制御手段は、前記画面外ランプの点灯を必要とする検眼モードのモード検出用画像信号が前記画像信号に含まれる場合に、前記画面外ランプを点灯させ、
前記モード検出用画像信号としては、水平同期信号，垂直同期信号のうち一方の信号のみが含まれる画像信号としたことを特徴とする検眼システム。
【発明の詳細な説明】
【技術分野】
【０００１】
この発明は、視標表示器に検眼用の視標を表示させて視力や視機能等を検査する検眼システムに関するものである。
【背景技術】
【０００２】
従来の検眼システムとしては、ランドルト環や文字，数字等その他チャートを視標提示装置の表示部に表示させると共に、この表示部に表示されたチャート等を自覚式検眼装置の左右の検眼窓を介して視認させて、コントローラにより自覚式検眼装置の検眼窓に臨ませる検眼用の光学部材を操作して、検眼を視力や視機能等を検査するようにしたシステムが知られている（例えば、特許文献１参照）。
【０００３】
この検眼システムを用いての検査には、特許文献１におけるようにマドックスロッドによる線条光を用いた斜位検査が知られている。
【０００４】
この斜位検査では、黒の下地（背景）の中央に白丸の点状視標が配置されたチャートを視標提示装置の表示部に表示させると共に、自覚式検眼装置の左右の検眼窓の一方にマドックスロッドレンズを臨ませて、左右の被検眼に視標提示装置の表示部の点状視標を視認させたとき、一方の被検眼に縦（垂直）又は横（水平）のマドックスロッドによる線条光が視認されると共に他方の被検眼に点状視標が視認される。
【０００５】
そして、被検者の左右の被検眼に斜位がなければ、被検者はマドックスロッドによる線条光と点状視標が一致するように視認できる。しかし、被検者の左右の被検眼に斜位があれば、被検者はマドックスロッド小桿による線条光と点状視標が左右又は上下にずれて視認される。
【０００６】
このような検眼システムでは、視標提示装置に液晶ディスプレイやＣＲＴ等が用いられている。このような視標提示装置では、表示部に表示される点状視標の光量が少なく点状視標が小さいために、点状視標やマドックスロッドによる線条光を視認しにくい。このため、通常は、外光に影響されない暗室でマドックスロッドによる線条光による斜位検査を行っている。
【０００７】
極めて暗い暗室は設置が大変なため、この点状視標を視標提示装置の表示部に表示させずに、視標提示装置にＬＥＤ等の固視灯を設けて、この固視灯を点状視標に代えることで、十分な光量を得られるようにすることが考えられている。この固視灯を用いての斜位検査では、視標提示装置の表示部全体を黒い画像で表示させるようにする。
【０００８】
また、検眼システムの視標提示装置には、視標表示画面（視標表示部）の周囲にＬＥＤ等のグレアランプ５００を配置してグレアテストを行うようにしたものも知られている（例えば、特許文献２参照）。このグレアテストでは、グレアランプ５００を点灯させた状態で、視標表示画面に表示された視標等を視認させることにより、視標表示画面の視標の見え方を検査する。
【先行技術文献】
【特許文献】
【０００９】
【特許文献１】特開２００８−２７２１０１号公報
【特許文献２】特開平５−１３７６９４号公報
【発明の概要】
【発明が解決しようとする課題】
【００１０】
ところで、マドックスロッドによる線条光を用いての斜位検査に際して、表示部全体を黒い画像で表示させる画像信号を視標提示装置に送る画像ケーブルと、固視灯をオン・オフさせる信号を送る通信手段とは別々に設けられている。例えば、この通信手段は、画像ケーブルと別の赤外光や電波或いは専用の通信ケーブルを用いるのが普通である。
【００１１】
また、グレアテストが行える検眼システムでは、固視灯やグレアランプ５００等の表示画面外ランプをオン・オフさせるための通信手段と画像ケーブルとを別々に設けているのが普通である。
【００１２】
しかし、このように画像ケーブルと別の赤外光や電波或いは専用の通信ケーブルを設けた場合には、部品点数が多くなり、部品管理の手間が増えると共にコスト高になるという問題がある。
【００１３】
そこで、この発明は、視標表示器に設けられた表示画面外ランプの点灯制御を少ない部品点数で行うことができる検眼システムを提供することを目的とするものである。
【課題を解決するための手段】
【００１４】
この目的を達成するため、この発明は、表示画面である表示部に視標画像を表示させる表示器本体が設けられた視標表示器と、前記表示器に表示させる視標画像を選択するための選択手段と、前記視標表示器の前記表示画面の外に設けられて被検眼の検査に用いられる画面外ランプと、選択された視標画像の画像信号を前記視標表示器に入力して前記表示画面に前記画像信号による視標画像を表示させるメイン制御手段と、を備える検眼システムであって、前記メイン制御手段は、前記画面外ランプの点灯を必要とする検眼モードのモード検出用画像信号が前記画像信号に含まれる場合に、前記画面外ランプを点灯させることを特徴とする検眼システムとしたことを特徴とする。
【発明の効果】
【００１５】
この構成によれば、視標表示器に設けられた表示画面外ランプの点灯制御を少ない部品点数で行うことができる。
【図面の簡単な説明】
【００１６】
【図１】この発明に係る自覚式検眼装置の使用状態を示す斜観図である。
【図２】図１の自覚式検眼装置の拡大説明図である。
【図３】回転デスクの説明図である。
【図４】他の回転デスクの説明図である。
【図５】図１に示したメイン制御装置と他の機器の接続を説明する説明図である。
【図５Ａ】図１に示した視標表示器のプラグアンドプレイの説明図である。
【図５Ｂ】図１に示した視標表示器の個体差によるコントラスト情報取得の説明図である。
【図６】図１の検眼システムの制御回路図である。
【図６Ａ】図６の視標表示制御回路のメモリの説明図である。
【図７】表示部に表示される画面の一例を示した説明図である。
【図８】（ａ）はマドックスロッドによる斜位検査のチャートおよび水平マドックスロッドレンズ模式図をコントローラの表示部に表示させたときの説明図、（ｂ）は（ａ）の表示に基づく斜位検査を実行したときに被検者に視認される視標の説明図である。
【図９】（ａ）はマドックスロッドによる斜位検査のチャートおよび垂直マドックスロッドレンズ模式図をコントローラの表示部に表示させたときの説明図、（ｂ）は（ａ）の表示に基づく斜位検査を実行したときに被検者に視認される視標の説明図である。
【図１０】グレアランプを備える視標表示器の説明図である。
【図１１】図１０のグレアランプの駆動回路を備える制御回路の説明図である。
【発明を実施するための最良の形態】
【００１７】
以下、この発明に係わる検眼システムの実施の形態である一実施例を図面に基づいて説明する。
【実施例】
【００１８】
図１，図５に示した検眼システムは、メイン制御装置（制御装置本体）１、視標提示（呈示）装置２，コントローラ３、自覚式検眼装置４（図２参照）を有する。
【００１９】
また、図１において、５は検眼テーブル、６は検眼テーブル５の側方に配設された支柱、７は支柱６に取り付けられる支持アームである。
【００２０】
視標提示装置２は、視標表示器２ａと、この視標表示器２ａを支持する支柱２ｂを有する。この視標表示器２ａには、液晶表示器（液晶ディスプレイ）が用いられている。しかも、視標表示器２ａは、前面開口２ｃ１の周縁に方形状枠部2ｃ２を有する方形状のケース２ｃと、ケース２ｃに組み込まれたパネル状の表示器本体（液晶表示器本体）２ｄを有する。そして、表示器本体２ｄの表示部（液晶表示部、表示画面）２ｄ１は、前面開口２ｃ１に臨ませられている。また、方形状枠部2ｃ２の上辺部Ｃｕｓには、表示部２ｄ１の左右方向の中央に対応させて、斜位検査等に用いられる固視灯２００が画面外ランプとして取り付けられている。
【００２１】
この支柱６は上下方向に伸縮可能に検眼テーブル５に取り付けられており、支持アーム７は支柱６に水平回動可能に設けられている。
［自覚式検眼装置４］
この自覚式検眼装置４は、図２に示すように支持アーム７の長手方向中間の水平部７ａに固定された支持部材８と、支持部材８の下部側に配設したユニット支持体９と、ユニット支持体９の下部に配設した測定ヘッド（検眼装置本体）４ａを有する。この測定ヘッド４ａは、左右対称形の検眼ユニット１０Ｌ，１０Ｒを有する。
【００２２】
この検眼ユニット１０Ｌ，１０Ｒは、相対接近・離反できるようになっており、これにより検眼ユニット１０Ｌ，１０Ｒの検眼窓Ｌｗ，Ｒｗの光軸間距離を被検者２２の瞳孔間距離に合わせることができるようになっている。
【００２３】
図１の被検者２２は、検眼ユニット１０Ｌ，１０Ｒの検眼窓Ｌｗ、Ｒｗを通じて視標提示装置２の表示部（視標提示部）２ｄ１に提示される視標チャートを見ることにより各種の検査を受けるものである。そして、検眼ユニット１０Ｌ，１０Ｒの検眼窓Ｌｗ、Ｒｗには、各種の光学素子（光学部材）が配置され、これにより各種の検査が行えるようになっている。
【００２４】
検眼ユニット１０Ｌ，１０Ｒは周知の通り左右対称構造であるので、左側の検眼ユニット１０Ｌ（被検者２２の左眼Ｅを検査する部分）についてのみ説明する。
【００２５】
検眼ユニット１０Ｌ内には、図３に示す回転デスク２５〜２９が軸２４回りに回転可能に設けられている。
【００２６】
各回転デスク２５〜２９には、周回り方向に等間隔を開けて円形開口３０が設けられており、各回転デスク２５〜２９の外周部にはギヤ２５Ｇ〜２９Ｇが形成されている。
【００２７】
各ギヤ２５Ｇ〜２９Ｇには図示しない駆動ギヤが噛み合わされ、駆動ギヤはパルスモータＭ１〜Ｍ６(図６参照）によって回転駆動される。このような回転デスク２５〜２９や駆動ギヤ２５Ｇ〜２９Ｇ，パルスモータＭ１〜Ｍ６等の配置や連動の構成には周知の構成を採用できるので、その詳細な説明は省略する。
【００２８】
回転デスク２５の複数の円形開口３０には、検査用光学素子として、例えば０．２５Ｄずつ球面度数が異なる複数の球面度数レンズ（図示せず）が一枚ずつ嵌合されている。また、回転デスク２６の複数の円形開口３０には、３Ｄずつ球面度数の異なる複数の球面度数レンズ（図示せず）が１枚ずつ嵌合されている。更に、回転デスク２７の各円形開口３０には、検査用光学素子として、乱視レンズ（図示せず）が嵌合されている。
【００２９】
また、図４に示すように、回転デスク２８の円形開口３０Ｃには水平斜位検査用の水平プリズム（水平補助光学部材：補助光学部材）５０が嵌合され、円形開口３０Ｄには垂直斜位検査用の垂直プリズム（垂直補助光学部材：補助光学部材）５１が嵌合されている。また、他の円形開口３０には、補正度数がそれぞれ異なる水平斜位検査用の検査用光学素子である検査用プリズム（光学部材：検査用水平プリズム）がそれぞれ嵌合されている。この水平プリズム５０には水平方向の屈折角度を変化させる周知のロータリープリズムが用いられ、垂直プリズム５１には垂直方向の屈折角度を変化させる周知のロータリープリズムが用いられている。
【００３０】
水平プリズム５０は提示された視標を水平方向に分離させるものであり、垂直プリズムは提示された視標を垂直方向に分離させるものである。
【００３１】
同様に、回転デスク２９の複数の円形開口３０（図３参照）には、補正度数がそれぞれ異なる垂直斜位検査用の検査用光学素子である検査用プリズム（光学部材：検査用垂直プリズム）や、マドックスロッドによる線条光による斜位検査用のマドックスロッドレンズ等が配設されている。尚、検査用プリズムや斜位検査用のマドックスロッドレンズ等は周知であるので、その図示は省略してある。
【００３２】
なお、各回転デスク２５〜２９の円形開口３０には、矯正力をかけない状態での検眼検査を行うために素通しとされているものが少なくとも１個ある。この素通しの開口３０に符号３０Ａを付する。また、各回転デスク２５〜２９の円形開口３０には、素通し開口３０Ａに隣接して被検者２２が視標チャートを視認することができないようにするため、遮蔽板３０Ｂが設けられている。
[制御回路]
＜メイン制御装置１＞
視標提示（呈示）装置２，コントローラ３、自覚式検眼装置４は、図６に示したようにメイン制御装置１のメイン制御回路（メイン制御手段）３１４に接続される。
【００３３】
このメイン制御回路３１４は、図６に示したように、電源回路３１５と、電源回路３１５から供給される電源により動作する演算制御部（演算制御回路）３１６と、演算制御部３１６に接続された画像処理回路３１７と、演算制御部３１６に接続されたメインメモリ３２０を有する。このメインメモリ３２０には、コントローラ３で選択操作される視標画像やメニュー等のデータが記憶されている。
＜視標表示器２ａ＞
図1に示した視標表示器２ａのケース２ｃ内には、図６に示した視標表示器２ａの視標表示制御回路（視標制御装置）４００が設けられている。この視標表示制御回路４００は、ＤＶＩ（デジタル・ビジュアル・インターフェイス）４０１，演算制御部４０２，液晶駆動回路４０３，ＥＥＰＲＯＭ等の読み書き可能なメモリ４０５を有する。この視標表示制御回路４００には、視標表示器２ａの表示器本体（液晶表示器本体）２ｄを制御するのに必要最小限の能力を有するＭＰＵ（マイクロプロセッサユニット）が用いられている。
【００３４】
このメモリ４０５には、視標表示器２ａのＥＤＩＤ(Ｅｘｔｅｎｄｅｄ  Ｄｉｓｐｌａｙ  Ｉｄｅｎｔｉｆｉｃａｔｉｏｎ Ｄａｔａ)を記憶（記録）させるために確保された図６ＡのＥＤＩＤフォーマットの１２８バイトの表示器情報記憶領域００ｈ〜７Ｆｈが設けられている。
【００３５】
このＥＤＩＤは、液晶ディスプレイ(モニター）である視標表示器２ａのプラグアンドプレイ時に、接続元である視標表示器２ａの設定値等を接続先であるメイン制御装置１のメイン制御回路３１４に伝えるための表示器固有情報である。そして、視標表示器２ａは、ＥＤＩＤ 、ＤＤＣと呼ぶ２つの技術によって、図５に示したようにメイン制御装置１との間でプラグアンドプレイを実現するようになっている。
【００３６】
このＥＤＩＤには、対応する周波数、解像度のほか、製造メーカー名（Ｖｅｎｄｏｒ ＩＤ）や型式（Ｐｒｏｄｕｃｔ ＩＤ）など、視標表示器２ａ固有の特性を記述した１２８バイトのバイナリーフアイルで、視標表示器２ａのメモリ４０５に格納（記憶）されている。このＥＤＩＤは、視標表示器２ａからメイン制御回路３１４の演算制御部３１６側へＤＤＣにより読み出されるようになっている。
【００３７】
また、メイン制御回路３１４の演算制御部３１６は、ディスプレイケーブル内の２本の信号線、ＳＤＡ(Ｓｅｒｉａｌ Ｄａｔａ）およびＳＣＬ(Ｓｅｒｉａｌ Ｃｌｏｃｋ）を用いて、システム起動時や視標表示器２ａの接続時に視標表示器２ａ内部からＥＤＩＤを読み出すようになっている。
【００３８】
この際、メイン制御回路３１４の演算制御部３１６は、起動時にＤＤＣ（Ｄｉｓｐｌａｙ Ｄａｔａ Ｃｈａｎｎｅｌ すなわちＶＥＳＡ Ｄｉｓｐｌａｙ Ｄａｔａ Ｃｈａｎｎｅｌ）という規格を用いて、視標表示器２ａ内の仕様を読み出し、演算制御部３１６の表示器情報記憶部（図示せず）に格納する。この情報を使って最適な映像信号をグラフィックス機構で生成して、出力する。この表示器情報記憶部としては、レジストリ等の記憶領域であっても良いし、レジストリ以外に設定された記憶領域であっても良い。
【００３９】
尚、ここで言うＤＤＣ(Ｄｉｓｐｌａｙ Ｄａｔａ Ｃｈａｎｎｅｌ)とは、視標表示器２ａとメイン制御回路３１４の演算制御部３１６との間で各種情報を交換し、それによってプラグアンドプレイを実現しようとする規格のことである。このＤＤＣでは、視標表示器２ａと画像処理回路３１７の間で、視標表示器２ａの許容解像度や色深度、走査周波数や製品の型番といった情報をやり取りすることができる。これらの情報によって、視標表示器２ａの設定情報を引き継ぎ、視標表示器２ａの性能に合わせて自動的に設定が行われるようになっている。
【００４０】
このプラグアンドプレイを実現するために確保されたＥＤＩＤの記憶領域００ｈ〜７Ｆｈのうち全ての部分が視標表示器２ａの固有情報を記憶（記録）させるために用いられているのではない。
【００４１】
この表示器情報記憶領域００ｈ〜７Ｆｈのうちアドレス００ｈ〜４７ｈが視標表示器２ａの固有情報を記憶（記録）させるために確保された表示器固有情報記憶領域（第１固有情報記憶領域）となっており、アドレス４８ｈ〜７Ｄｈで示した記憶領域は視標表示器２ａの固有情報の記憶に用いられていない。よって、アドレス５Ａｈ〜６Ｂｈおよびアドレス６Ｃｈ〜７Ｄｈの記憶領域が個体差情報記憶部（第２固有情報記憶領域）として用いることができる。
【００４２】
アドレス００ｈ〜４７ｈには、図６ＡのＤａｔｅに示したような視標表示器２ａの固有情報（Ｈｅａｄｅｒ  Ｉｎｆｏｒｍａｔｉｏｎ、Ｂａｓｉｃ  ｄｉｓｐｌａｙ  ｐａｒａｍｅｔｅｒｓ、Ｃｈｒｏｍａｔｉｃｉｔｙ  ｃｏｏｒｄｉｎａｔｅ、  Ｅｓｔａｂｌｉｓｈｅｄ  ｔｉｍｉｎｇ  １、Ｅｓｔａｂｌｉｓｈｅｄ  ｔｉｍｉｎｇ  ２、Ｍａｎｕｆａｃｔｕｒｅ’ｓ  ｒｅｓｅｒｖｅｄ  ｔｉｍｉｎｇ、Ｓｔａｎｄａｒｄ  ｔｉｍｉｎｇ  ｉｄｅｎｔｉｆｉｃａｔｉｏｎ、Ｄｅｓｃｒｉｐｔｏｒ  Ｂｒｏｃｋ  １）が記憶されている。また、アドレス７ＥｈにはＥｘｔｅｎｓｉｏｎ  ｆｌａｇが記憶され、アドレス７Ｆｈには、Ｃｈｅｃｋｓｕｍが記憶されている。シリアル番号はＨｅａｄ  Ｉｎｆｏｍｅｔａｉｏｎに含まれ、映像入力ＤＶＩや映像入力ＶＧＡはＢａｓｉｃ  ｄｉｓｐｌａｙ  ｐａｒａｍｅｔｅｒに含まれる。
【００４３】
また、アドレス４８ｈ〜７Ｄｈで示した残りの記憶領域は、アドレス４８ｈ〜５９ｈのＤｅｓｃｒｉｐｔｏｒ  Ｂｒｏｃｋ  ２、アドレス５Ａｈ〜６ＢｈのＤｅｓｃｒｉｐｔｏｒ  Ｂｒｏｃｋ  ３、アドレス６Ｃｈ〜７ＤｈのＤｅｓｃｒｉｐｔｏｒ  Ｂｒｏｃｋ  ４に分けられている。そして、Ｄｅｓｃｒｉｐｔｏｒ  Ｂｒｏｃｋ  ２にはモニター名称を記憶し、Ｄｅｓｃｒｉｐｔｏｒ  Ｂｒｏｃｋ  ３にはＤＶＩ接続時のコントラスト情報を記憶し、アドレス６Ｃｈ〜７ＤｈのＤｅｓｃｒｉｐｔｏｒ  Ｂｒｏｃｋ  ４にはＶＧＡ接続時のコントラスト情報を記憶する。
【００４４】
そして、メイン制御装置１のメイン制御回路３１４は、メイン制御装置１の視標表示器２ａの接続時、或いは起動時に、メモリ４０５の全てのＥＤＩＤ情報を読み込んでメインメモリ３１９に記憶させる。このメイン制御回路３１４は、コントラスト視力検査等を行う場合、メインメモリ３２０記憶させたコントラスト情報を読み出し、この読み出したコントラスト情報に基づき「視標表示器２ａのチャート表示（画像表示）のコントラスト制御（補正制御）」を実行させることにより、視標表示器２ａの個体差に基づくコントラストの相違が生じないように、視標（チャート）を視標表示器２ａに表示させることができる。即ち、メイン制御回路３１４は、メインメモリ３２０から読み出したコントラト情報に基づき、コントローラ３で選択された視標（チャート）を設定されたメインメモリ３２０に記録されているコントラスト条件で視標表示器２ａに表示させるように制御する。
＜コントラスト制御データ＞
ところで、表示部（表示画面）２ｄ１のコントラストは、白と黒の比率により決まる。この白と黒の比率は、表示部（表示画面）２ｄ１に画像をデジタルで表示する際、白の％や黒の％はデジタル表現の８バイト（２５６ビット）で表している。
【００４５】
即ち、明度が０％（「０００」）の時には最も暗い黒の状態になり、明度が１００％（「２５６」）の時には最も明るい白の状態になるので、明度が０％から１００％に向かうに従って暗い黒の状態から明るい白の状態に変化する。従って、白が１００％のときの白の明るさを「２５６」としたときに黒が０％ので「０００」となる。この白と黒の比率を５０％：５０％とすると、白の階調は１２８，黒の階調は１２８となる。
【００４６】
この白と黒の比率で視標表示器２ａの表示部（表示画面）２ｄ１に表示させる画像のコントラストを設定して、この設定した白と黒の比率で視標表示器２ａに画像を表示させたときに、視標表示器２ａの個体差により視標表示器２ａの表示部（表示画面）２ｄ１に表示される画像のコントラストは異なってくる。この視標表示器２ａの個体差による表示明コントラストの相違を検出して、表示明コントラストの相違があっても設定したコントラストで画像が表示できるように補正する必要がある。この補正のために、視標表示器２ａのコントラスト情報（コントラスト制御データ）を取得しておく必要がある。
【００４７】
このコントラスト情報は、図５Ｂに示したパソコンＰＣと輝度計５００を用いて取得する。この取得に際しては、パソコンＰＣに視標表示器２ａおよび輝度計５００を接続すると共に、輝度計５００を視標表示器２ａの表示部（表示画面）２ｄ１の前に配置する。輝度計５００と表示部（表示画面）２ｄ１との距離は、検眼距離に対応した距離に設定する。
【００４８】
この検眼距離としては、例えば、通常の遠用検査の場合には５ｍであるが、近用検査の場合には３０ｃｍ等がある。しかし、この検眼距離としては、例示した以外の距離であっても良い。
【００４９】
また、輝度計５００を視標表示器２ａの表示部（表示画面）２ｄ１に対して例えば３０ｃｍの位置から５ｍの位置まで所定間隔毎（例えば５０ｃｍあるは１ｍごと）に移動させて、移動位置における視標表示器２ａの輝度情報をコントラスト情報として取得しても良い。
【００５０】
このようなコントラスト情報の取得は、外光に影響されない室内で行う。
【００５１】
例えば、白が１００％を２５６階調で表したときに、階調５０％のコントラストで表示部（表示画面）２ｄ１の明るさで表示する命令（指示）を視標表示器２ａに出力するようにパソコンＰＣからの画像信号の出力を設定して、この設定に基づく画像信号を視標表示器２ａに入力したとき、視標表示器２ａに例えば液晶やバックライト等による個体差がなく、表示部（表示画面）２ｄ１の白と黒の比率が５０％：５０％で表示されば設定した明るさのコントラストとなる。
【００５２】
しかし、視標表示器２ａに例えば液晶やバックライト等による個体差があって、表示部（表示画面）２ｄ１の白と黒の比率が５０％：５０％で表示されない場合がある。例えば、輝度計５００から得られる輝度情報から、表示部（表示画面）２ｄ１の明るさが少し暗めであるような場合、或いは表示部（表示画面）２ｄ１の明るさが少し明るめであるような場合である。
【００５３】
例えば、輝度計５００から得られる輝度情報から表示部（表示画面）２ｄ１の明るさが少し暗めであるような場合には階調１２８で設定した白の階調を例えば１２９にするという判断をパソコンＰＣにさせる。そして、この視標表示器２ａにおいて白と黒の比率が５０％：５０％で表示するには、白の階調を１２９にし黒の階調を１２７にするように設定した画像信号を視標表示器２ａに入力するような補正のコントラスト情報を取得する。
【００５４】
この表示部（表示画面）２ｄ１のコントラストを階調５０％にするための視標表示器２ａの階調の補正データ（補正情報）である１２９のビットデータを、視標表示器２ａの個体差に基づくコントラスト情報（コントラスト補正の情報）とする。このようなコントラスト情報（コントラスト補正の情報）は、白と黒との比率を所定値毎に変化させて取得する。
【００５５】
尚、コントラスト情報の取得は、パソコンＰＣによりコントラスト情報取得プログラムを起動させて実行する。このコントラスト情報取得プログラムは、白と黒の比率を２．５％毎（又は５％，１２．５％，２５％，５０％毎）に変化させて表示部（表示画面）２ｄ１の明るさ変化させたとき、表示部（表示画面）２ｄ１の明るさを輝度計５００により８バイトのデータで取得する。
【００５６】
この際、表示部（表示画面）２ｄ１の明るさを設定する白と黒の比率と実際の表示部（表示画面）２ｄ１の白と黒の比率とを対応させて取得して記録する。
【００５７】
この取得された実際の表示部（表示画面）２ｄ１の白と黒の比率から、設定した白と黒の比率によるコントラストにするにはどの程度の階調を増減すれば良いかを求めて、求めた情報をコントラスト情報とする。
【００５８】
輝度の最大値Ｌｍａｘと最小値Ｌｍｉｎを用いてコントラストを表す場合、
【数１】
0005749511.tif 000002
【００５９】
となる。仮に、Ｌｍａｘを１００にすると共にＬｍｉｎを調節して、視標表示器２ａに表示される画像のコントラスト率を５０％にしたい場合、Ｌｍｉｎ＝３３．３となる。
【００６０】
そこで、パソコンＰＣはＬｍａｘ＝１００、Ｌｍｉｎ＝３３．３で視標表示器２ａに画像を表示し、輝度計５００で輝度を測定する。これにより、パソコンＰＣで出力した通りの輝度がそれぞれ測定されれば、コントラスト率５０％の画像が視標表示器２ａに表示されることになる。しかし、輝度計５００で測定された輝度から、コントラスト率５０％の画像が視標表示器２ａに表示されていない場合、Ｌｍａｘ又はＬｍｉｎの値を増減して、画像が視標表示器２ａに表示される画像がコントラスト率５０％になるように調節する。このＬｍａｘ又はＬｍｉｎの調節に得られた増減値はパソコンＰＣにより実行され、このときのＬｍａｘ又はＬｍｉｎの増減値が視標表示器２ａのコントラスト補正のためのコントラスト情報として取得される。
【００６１】
表示器固有情報が記憶されていないアドレス５Ａｈ〜７Ｄｈで示した記憶領域を個体差情報記憶部（第２固有情報記憶領域）として使用し、視標表示器２ａのコントラスト補正のためのコントラスト情報を個体差情報記憶部（第２固有情報記憶領域）に記憶させる。
【００６２】
また、演算制御部４０２は、入力させる画像信号からＲ，Ｇ，Ｂの画像データに基づき液晶駆動回路４０３を駆動制御して、液晶駆動回路４０３により表示器本体２ｄの表示部（液晶表示部）２ｄ１に画像を表示させるようになっている。
【００６３】
また、メイン制御回路３１４は、視標表示のための必要な表示条件、即ち視標表示器２ａの周波数や解像度が視標表示のために設定された仕様（表示条件）を有していない場合、或いは指定したメーカーの型番を有していない場合、視標表示器２ａへの視標画像の信号の出力をしない（禁止する）ように制御するようになっている。これにより、誤測定や誤検査を簡単な構成で未然に防止できる。
【００６４】
コントラスト情報としては、コントラストチャート表示用の色情報が設定される。色情報としてはＲＧＢ値を持たせるとよい。ただし視標は色味を用いない白と黒の明るさで構成されているので、ＲＧＢの値は同じ値が適用される。よって以下のように各輝度情報は、一つの値を記録するのみで良く、アドレス５Ａｈ〜７Ｄｈの記録容量を減らすことができる。
【００６５】
例えば、
白：ＲＧＢ（２５５，２５５，２５５）→ＦＦｈ，ＦＦｈ，ＦＦｈ→ＦＦｈ
灰：ＲＧＢ（１２８，１２８，１２８）→８０ｈ，８０ｈ，８０ｈ→８０ｈ
黒：ＲＧＢ（０，０，０）→０ｈ，０ｈ，０ｈ→０ｈ
この例では、白ＲＧＢ（２５５，２５５，２５５）はＦＦｈ，ＦＦｈ，ＦＦｈであるが、白ＲＧＢ（２５５，２５５，２５５）をＦＦｈのみで表すものとする。同様に、黒ＲＧＢ（０，０，０）は０ｈ，０ｈ，０ｈであるが、黒ＲＧＢ（０，０，０）を０ｈのみで表すものとする。
＜コントローラ３＞
検眼テーブル５には、図１に示すようにコントローラ（選択手段）３が載置されている。このコントローラ３は、操作部３ａ，マウス３ｂおよび液晶などからなるモニター用の表示部３ｃを備えている。この表示部３ｃには、タッチパネル式の液晶パネルが用いられている。
（操作部３ａ）
操作部３ａには、図１に示したように、画面操作手段としてのキーボードＫＢを有する。この検眼用のコントローラ３のキーボードＫＢには周知の構成が採用できるので、その詳細な説明は省略する。
（表示部３ｃ）
また、表示部３ｃの上半分には、図７，８に示したような「球面」，「乱視」，「加入」，「軸」，（図８では、更に「水平」，「垂直」）等の項目表示部Ｍａと、この項目表示部Ｍａの左右に「右」，「左」の検眼データ表示部ＤＲａ，ＤＬａが設けられている。
【００６６】
また、表示部３ｃの上下方向中央部には、図１の検眼ユニット１０Ｌ，１０Ｒに対応する検眼ユニット像１０Ｌ′，１０Ｒ′が表示されていると共に、図１の検眼窓Ｌｗ，Ｒｗに対応する検眼窓像Ｌｗ′，Ｒｗ′が瞳孔間距離表示部ＰＤの表示の両側に表示されている。
【００６７】
この表示において、検眼窓像Ｌｗ′，Ｒｗ′の部分が白抜きの場合は検眼窓Ｌｗ，Ｒｗが遮蔽部材により遮蔽されていない開放状態を示し、検眼窓像Ｌｗ′，Ｒｗ′の部分が灰色の場合は検眼窓Ｌｗ，Ｒｗが遮蔽部材により遮蔽されている遮蔽状態を示す。ここで、検眼窓像Ｌｗ′，Ｒｗ′の白抜きや灰色等の色の表示は説明の便宜上の一例を示したもので、白抜きや灰色以外の色で検眼窓Ｌｗ，Ｒｗの開放状態や遮蔽状態を示しても良い。
【００６８】
また、表示部３ｃの上下方向中央部の右側にはダイヤル像ＤＬおよび「＋矢印」，「-矢印」が表示されている。
【００６９】
更に、表示部３ｃの下半分の左側には、図７に示したようにチャート群表示選択用のボタン「Ｃｈａｒｔ１」〜「Ｃｈａｒｔ５」および選択チャート表示部Ｇａが設けられている。表示部３ｃの下半分の右側には、図７に示したように選択されたチャートを表示させる提示チャート表示部Ｇｂが設けられている。そして、この「Ｃｈａｒｔ１」〜「Ｃｈａｒｔ５」のボタンをタッチして選択することにより、「Ｃｈａｒｔ１」〜「Ｃｈａｒｔ５」の選択チャート表示部Ｇａに異なる複数のチャート群が表示させられるようになっている。また、選択チャート表示部Ｇａの複数のチャート群の一つをタッチして選択することにより、選択されたチャートが提示チャート表示部Ｇｂに表示される。
【００７０】
このようなチャート選択や表示制御は、メイン制御装置１のメイン制御回路３１４によりコントローラ３の内部のコントローラ制御回路（コントローラ制御手段）４３を介して実行される。
【００７１】
このコントローラ制御回路４３は、コントラスト制御部４３ａと、液晶駆動回路４３ｂと、ＥＥＰＲＯＭ等の読み書き可能なメモリ４４を有する。
【００７２】
このコントローラ制御回路４３には、コントローラ３を動作制御するのに必要最小限な能力を有するＭＰＵ（マイクロプロセッサユニット）が用いられている。メモリ４４には、コントローラ３のＥＤＩＤ（仕様情報データ）を記憶(記録）したＥＤＩＤのファイルが記憶されている。このコントローラ３のＥＤＩＤは、コントローラ３のプラグアンドプレイ時に、接続元であるコントローラ３の機種名や設定値等を接続先のメイン制御装置１の演算制御部３１６に伝えるための独自のＩＤである。
＜自覚式検眼装置４の測定ヘッド４ａの制御回路＞
自覚式検眼装置４の測定ヘッド４ａは、図６に示したように制御回路（光学部材制御手段）４ｂを有する。この制御回路４ｂは、演算制御回路（ＣＰＵ）４５と、この演算制御回路（ＣＰＵ）４５に接続されたＥＥＰＲＯＭ等の読み書き可能なメモリ４ｃを有する。このメモリ４ｃには、の測定ヘッド４ａの制御情報が記憶されている。
【００７３】
また、測定ヘッド４ａの左右の検眼ユニット１０Ｒ，１０Ｌ内には水平プリズム５０および垂直プリズム５１が上述したように設けられている。
【００７４】
この水平プリズム５０はパルスモータＰｒｍにより円形開口３０Ｃの中心（光軸）を中心に回転駆動させられ、垂直プリズム５１はパルスモータＰｒｍ′により円形開口３０Ｃの中心（光軸）を中心に回転駆動させられるようになっている。しかも、この水平プリズム５０はパルスモータＰｒｍにより回転駆動させられることにより水平方向の屈折角度を変化させ、垂直プリズム５１はパルスモータＰｒｍ′により回転駆動させられることにより垂直方向の屈折角度を変化させるようになっている。このパルスモータＰｒｍ，Ｐｒｍ′は、演算制御回路４５からの駆動パルスにより正転又は逆転方向に回転駆動されるようになっている。
【００７５】
そして、演算制御回路４５は、パルスモータＰｒｍへの駆動パル数および回転方向から水平プリズム５０のプリズム値を求めると共に、このプリズム値から光軸の水平方向への屈折角度を求めるようになっている。また、演算制御回路４５は、パルスモータＰｒｍ′への駆動パル数および回転方向から垂直プリズム５１のプリズム値を求めると共に、このプリズム値から光軸の垂直方向への屈折角度を求めるようになっている。更に、パルスモータＭ１〜Ｍ６も演算制御回路４５からの駆動パルスにより正転又は逆転方向に回転駆動されるようになっている。
【００７６】
なお、操作部３ａやマウス３ｂ或いは選択チャート表示部Ｇａに表示されたチャート群の一つにタッチすることによって、選択チャート表示部Ｇａに表示されるチャート群のうちから所望の視標チャートを選択することができる。そして、コントローラ制御部４３ａは、選択チャート表示部Ｇａに表示されるチャート群のうちから所望の視標チャートが選択されると、選択信号を演算制御部３１６に入力する。この演算制御部３１６は、視標提示装置２の演算制御部４０２に制御信号を入力する。この演算制御部４０２は、入力される制御信号により視標提示装置２の表示部２ｄ１にその選択した視標チャートが提示させる。また、その選択された視標チャートに応じて演算制御部３１６は、演算制御回路４５を介して検眼ユニット１０ＬのパルスモータＭ１〜Ｍ６の駆動制御を行い、これにより検眼ユニット１０Ｌ，１０Ｒの検眼窓Ｌｗ、Ｒｗにその選択された視標チャートに対応した検査用光学素子が配置される。
[動 作]
次に、このような構成の検眼システムの動作を説明する。
（１）．機器の接続
視標提示装置２をメイン制御装置１内のメイン制御回路３１４に接続すると、液晶ディスプレイ(モニター）である視標表示器２ａのプラグアンドプレイ時に、接続元である視標表示器２ａの機種名や設定値等のＥＤＩＤの情報がメモリ４０５から接続先であるメイン制御装置１のメイン制御回路３１４に読み込まれ、このＥＤＩＤの情報がメイン制御回路３１４の表示器情報記憶部（図示せず）に記録される。
【００７７】
この際、メモリ４０５のＥＤＩＤの情報に記録された視標提示装置２の個体差によるコントラスト情報（階調のビットデータによるコントラスト補正の情報）もメイン制御回路３１４に読み込まれてメインメモリ３２０に記録される。
【００７８】
また、コントローラ３をメイン制御装置１内のメイン制御回路３１４に接続すると、メイン制御回路３１４は、コントローラ３のＥＤＩＤ（仕様情報データ）を記憶(記録）したＥＤＩＤをメモリ４４から読み出して、メインメモリ３２０に記録する。
（２）．コントローラ３の表示部３ｃへのチャート表示（画像表示）
上述したように、メイン制御装置１内にはメイン制御回路３１４が設けられ、このメイン制御回路３１４のデータメモリ３２０にはコントローラ３で選択操作される視標画像やメニュー等のデータ（ファイル）が記憶されている。
【００７９】
そして、メイン制御回路３１４は、メイン制御装置１の電源がオンさせられると動作を開始して、コントローラ３に電源を供給して、コントローラ３の制御動作を開始する。この際、メイン制御回路３１４は、データメモリ３２０に記憶されている検眼用の初期画面データを画像処理回路３１７を介してコントローラ３のコントローラ制御回路４３に入力する。このコントローラ制御回路４３は、初期画面データが入力されると図７に示した初期画面をコントローラ３の表示部３ｃに表示させる。
【００８０】
このコントローラ３は、キーボードＫＢ，マウス３ｂ，表示部３ｃのタッチパネル部等の操作をすると、この操作信号をメイン制御装置１にメイン制御回路３１４に入力する。
（３）．視標呈示装置２の視標表示器２ａへのチャート表示及びコントラスト制御
コントローラ３の表示部３ｃに表示されたチャート群から視標チャートのアイコンを選択すると、演算制御部３１６で視標表示器２ａに表示させるチャートの画像を生成し、このチャートの画像を画像処理回路３１７を通して視標表示器２ａに表示させる。同時に、メイン制御回路３１４は、視標表示器２ａに表示させているチャートの画像を確認のために画像処理回路３１７を通してコントローラ３の表示部３ｃに表示させる。
（４）．マドックス斜位検査
（コントローラ３の表示）
図７のボタン「Ｃｈａｒｔ２」を押して固視灯の視標にタッチすると、メイン制御装置１のメイン制御回路３１４は、コントローラ３のコントローラ制御部４３ａを介してマドックスロッド斜位検査用のモードになる。このモードにおいてメイン制御回路３１４は、コントローラ３のコントローラ制御部４３ａを介して図８に示した斜位検査用のチャート群をコントローラ３の表示部３ｃの選択チャート表示部Ｇａに表示させる。
【００８１】
そして、この斜位検査用のチャート群の中のマドックスロッド斜位検査用のチャートＭＬｃにタッチすると、メイン制御装置１のメイン制御回路３１４は、コントローラ３のコントローラ制御部４３ａを介してチャートＭＬｃと同じ画像が提示チャート表示部Ｇｂに表示させる。ここで、マドックスロッド斜位検査用のチャートＭＬｃは、黒の下地の中央に白の丸を表示させたものである。
【００８２】
また、コントローラ３のキーボードＫＢやマウス３ｂ或いは表示部３ｃのタッチパネルの操作により、図８（ａ）のように垂直マドックスロッドのためのマドックスロッドレンズ模式図をメイン制御回路３１４及びコントローラ制御部４３ａにより表示部３ｃの検眼窓像Ｒｗ′に表示させ，又は図９（ａ）のように水平マドックスロッドのためのマドックスロッドレンズ模式図メイン制御回路３１４及びコントローラ制御部４３ａにより表示部３ｃの検眼窓像Ｌｗ′に表示させる。
（視標表示器２ａへの表示）
しかも、メイン制御回路３１４は、マドックスロッド斜位検査用の検眼モードになると、視標表示器２ａにチャートＭＬｃと同じ画像を表示させる信号を出力せずに、視標表示器２ａの視標表示制御回路４００に表示部２ｄ１の画面を黒にする暗画像信号をモード検出用画像信号として入力する。即ち、Ｒ，Ｇ，Ｂの輝度信号となる階調のビット信号「０００」を視標表示制御回路４００の演算制御部４０２に入力する。この視標表示制御回路４００の演算制御部４０２に入力される画像信号が画面を黒にする暗画像信号であれば、この暗画像信号から検査がマドックスロッド斜位検査用のモードであることを検出することができる。
【００８３】
この際、メイン制御回路３１４は、表示部２ｄ１の画面を黒にする暗画像信号に加えて、この暗画像信号が入力されたことを検出する検眼用（斜位検査用）の斜位検査特有信号を演算制御部４０２に入力することもできる。この場合、検査がマドックスロッド斜位検査用のモードであることを更に確実に検出することができる。
【００８４】
この検眼用（斜位検査用）の斜位検査特有信号としては、画面を黒にする暗画像信号に先だってチャートＭＬｃと同じ画像を表示させる画像信号を演算制御部４０２に短期間入力しても良いし、マドックスロッド斜位検査用のモードであることを検出させるモード検出用画像信号を画面を黒にする暗画像信号に加えてモード検出用画像信号を演算制御部４０２に入力してもよい。
【００８５】
そして、演算制御部４０２は、モード検出用画像信号からマドックスロッド斜位検査用のモードを検出すると、固視灯駆動回路４０４を作動させて、固視灯駆動回路４０４により固視灯２００を点灯させる。
【００８６】
尚、モード検出用画像信号である暗画像信号としては、黒「０００」に近い階調の灰色の信号であっても良いし黒「０００」に近い他の色の画像信号であっても良い。
（測定ヘッド４ａ）
・水平（左右）方向の斜位検査
一方、メイン制御回路３１４は、マドックスロッド斜位検査用のモードになると共に、図8（ａ）のように垂直マドックスロッドのためのマドックスロッドレンズ模式図がコントローラ３の表示部３ｃの検眼窓像Ｒｗ′に表示されると、自覚式検眼装置４の制御回路４ｂの演算制御回路（ＣＰＵ）４５を作動制御して、演算制御回路（ＣＰＵ）４５によりパルスモータＭ６を駆動制御し、パルスモータＭ６により回転デスク２９を回転させ、図８（ｂ）に示した垂直のマドックスロッドによる線条光ＭＬＶを視認させるマドックスロッドレンズ（図示せず）を検眼窓像Ｒｗに臨ませる。
【００８７】
これに伴い、自覚式検眼装置４の制御回路４ｂの演算制御回路（ＣＰＵ）４５は、パルスモータＭ８を駆動制御して回転デスク２８の水平斜位検査用の水平プリズム（水平補助光学部材：補助光学部材）５０を検眼窓像Ｒｗに臨ませる。
【００８８】
この状態で、被検者２２が左右の検眼窓Ｒｗ，Ｌｗを介して視標表示器２ａを視認すると、被検者２２の左眼はマドックスロッドレンズ（図示せず）を介して固視灯２００を視認することになり、この固視灯２００が図８（ｂ）に示した垂直の線光源状のマドックスロッドによる線条光ＭＬＶとして視認される。一方、被検者２２の右眼は固視灯２００が水平プリズム５０を介して固視灯２００を視認することになるので、被検者２２の右眼は固視灯２００を丸で示した点光源の視標２００′として視認する。
【００８９】
この際、視標表示器２ａの表示部２ｄ１には真っ黒の下地色が表示されているので、マドックスロッドによる線条光ＭＬＶと点光源の視標２００′は、図８（ｂ）に示したように黒の下地に表示されているように視認される。
【００９０】
この視認に際して、コントローラ３のＤＬの＋矢印又は−矢印をタッチするか、コントローラ３のキーボードＫＢの図示しないダイヤルを回転操作する。これにより、メイン制御回路３１４の演算制御部３１６は、自覚式検眼装置４の演算制御回路（ＣＰＵ）４５を介してパルスモータＰｒｍを駆動制御し、このパルスモータＰｒｍにより水平プリズム５０のプリズム値を増減変化させて、水平プリズム５０のプリズム値を変える。この操作により、被検者２２に視認されている視標２００′と垂直のマドックスロッドによる線条光ＭＬＶが相対的に接近・離反する。従って、検者は、この操作により視標２００′と垂直のマドックスロッドによる線条光ＭＬＶが一致したか否かを被検者２２の応答から確認し、一致したときのプリズム値から被検者２２の水平方向の斜位がどの程度かを知ることができる。
【００９１】
尚、水平プリズム５０のプリズム値は、水平プリズム５０を駆動するパルスモータＰｒｍの回転駆動方向及び回転駆動のパルス数から求めることができる。
・垂直（上下）方向の斜位検査
また、図９（ａ）のように水平マドックスロッドのためのマドックスロッドレンズ模式図が表示部３ｃの検眼窓像Ｌｗ′に表示されると、自覚式検眼装置４の制御回路４ｂの演算制御回路（ＣＰＵ）４５を作動制御して、演算制御回路（ＣＰＵ）４５によりパルスモータＭ６を駆動制御し、パルスモータＭ６により回転デスク２９を回転させ、図９（ｂ）に示した水平のマドックスロッドによる線条光ＭＬＨを視認させるマドックスロッドレンズ（図示せず）を検眼窓像Ｒｗに臨ませる。
【００９２】
これに伴い、自覚式検眼装置４の制御回路４ｂの演算制御回路（ＣＰＵ）４５は、パルスモータＭ８を駆動制御して回転デスク２８の垂直斜位検査用の垂直プリズム（水平補助光学部材：補助光学部材）５１を検眼窓像Ｒｗに臨ませる。
【００９３】
この状態で、被検者２２が左右の検眼窓Ｒｗ，Ｌｗを介して視標表示器２ａを視認すると、被検者２２の右眼はマドックスロッドレンズ（図示せず）を介して固視灯２００を視認することになり、この固視灯２００が図９（ｂ）に示した線光源状の水平のマドックスロッドによる線条光ＭＬＨとして視認される。一方、被検者２２の左眼は固視灯２００が垂直プリズム５１を介して固視灯２００を視認することになるので、被検者２２の左眼は固視灯２００を丸で示した点光源の視標２００′として視認する。
【００９４】
この際、視標表示器２ａの表示部２ｄ１には真っ黒の下地色が表示されているので、マドックスロッドによる線条光ＭＬＨと点光源の視標２００′は、図９（ｂ）に示したように黒の下地に表示されているように視認される。
【００９５】
この視認に際して、コントローラ３のＤＬの＋矢印又は−矢印をタッチするか、コントローラ３のキーボードＫＢの図示しないダイヤルを回転操作する。これにより、メイン制御回路３１４の演算制御部３１６は、自覚式検眼装置４の演算制御回路（ＣＰＵ）４５を介してパルスモータＰｒｍ′を駆動制御し、このパルスモータＰｒｍ′により垂直プリズム５１のプリズム値を増減変化させて、垂直プリズム５１のプリズム値を変える。この操作により、被検者２２に視認されている視標２００′と垂直のマドックスロッドによる線条光ＭＬＨが相対的に接近・離反する。従って、検者は、この操作により視標２００′と垂直のマドックスロッドによる線条光ＭＬＨが一致したか否かを被検者２２の応答から確認し、一致したときのプリズム値から被検者２２の垂直方向の斜位がどの程度かを知ることができる。
【００９６】
尚、垂直プリズム５１のプリズム値は、垂直プリズム５１を駆動するパルスモータＰｒｍ′の回転駆動方向及び回転駆動のパルス数から求めることができる。
[他の実施例]
視標表示器２ａは上述したように方形状のケース２ｃと表示器本体（液晶表示器本体）２ｄを有し、ケース２ｃは方形状枠部２ｃ２を有する。そして、上述した実施例では方形状枠部２ｃ２の上辺部Ｃｕｓに斜位検査等に用いる固視灯２００を画面外ランプとして取り付けた例を示したが、画面外ランプは必ずしも固視灯２００に限定されるものではない。例えば、グレア (ｇｌａｒｅ、眩輝)テスト等を行うためのＬＥＤ等の画面外ランプを視標表示器２ａに設けた構成としても良い。
【００９７】
図１０は、グレアテスト（グレア検査）を行うための画面外ランプを視標表示器２ａに設けた例を示したものである。この図１０では、例えば画面外ランプとして複数のＬＥＤ等の発光ランプ５００をケース２ｃの方形状枠部２ｃ２の上辺部Ｃuｓ，側辺部ＣｓＬ，側辺部ＣｓＲ，下辺部Ｃｄｓ等にそれぞれ設けることにより、複数の発光ランプ５００を表示画面である表示部２ｄ１の周囲に配設した例を示したものである。
【００９８】
この実施例では、コントローラ３の操作により図示を省略したメニューからグレアテストを選択した後、キーボードＫＢ，マウス３ｂ，表示部３ｃのタッチパネル部等の操作をして、この操作信号をメイン制御装置１にメイン制御回路３１４に入力して、この操作信号に応じたチャート（検眼用画像）をコントローラ制御回路４３を介して表示部３ｃに表示させる。
【００９９】
そして、メイン制御回路３１４は、コントローラ３の表示部３ｃにチャート（検眼用画像）が表示させられると、表示部３ｃの提示チャート表示部Ｇｂに表示されたチャート（検眼用画像）の画像データの画像信号を視標表示器２ａの表示器固有情報（ＥＤＩＤに基づくデータ）に応じた条件で図１１の視標表示器２ａの視標表示制御回路４００に入力する。
【０１００】
この際、メイン制御回路３１４は、グレアテストの検眼モードであることを示すグレアテスト特有のモード検出用画像信号としてグレアテストモード検出用画像信号を視標表示制御回路４００に入力する画像信号に含ませるようになっている。
【０１０１】
このグレアテストモード検出用画像信号としては、例えばグレアテストモード検出用画像を視標表示器２ａの表示部（表示画面）２ｄ１のチャート（検眼用画像）が表示される部分から外れた部分に表示させる画像信号としても良い。このグレアテストモード検出用画像は、例えば表示部（表示画面）２ｄ１の周縁部に沿って部分的に又は周縁部全周に表示させても良い。グレアテストモード検出用画像は、文字であっても良いし、チャート（検眼用画像）が表示される部分とはコントラストを変えた単一色の画像であっても良い。
【０１０２】
そして、図１１の視標表示制御回路４００の演算制御回路４０２は、入力される画像信号にグレアテスト特有のモード検出用画像信号が含まれているのを検出すると、グレアランプ駆動回路４０６を作動制御して、グレアランプ駆動回路４０６によりグレアランプ５００を点灯させる。
【０１０３】
この状態で、視標表示器２ａの表示部（表示画面）２ｄ１に例えば視力検査に用いるランドルト環等の視標を表示させ、被検者２２に見え方を確認することにより被検者２２の視力を検査する。尚、本実施例では、視力検査に用いるランドルト環を一例として示したが、グレアテストで表示部（表示画面）２ｄ１に表示させる視標（チャート）は視力検査に用いる視標に限定されるものではない。
【０１０４】
以上説明したように、この発明の実施の形態の検眼システムは、表示画面である表示部２ｄ１に視標を表示させる表示器本体２ｄが設けられた視標表示器２ａと、前記視標表示器２ａの前記表示画面の外に設けられて被検眼の検査に用いられる画面外ランプ（固視灯２００，グレアランプ５００等）と、  選択された視標の画像信号を前記視標表示器２ａに入力して前記表示画面に前記画像信号による画像を表示させるメイン制御回路３１４が設けられた制御手段（メイン制御装置１）と、を備えている。しかも、前記メイン制御回路３１４は、前記画面外ランプ（固視灯２００，グレアランプ５００等）の点灯を必要とする検眼モードのモード検出用画像信号が前記画像信号に含まれる場合に、前記画面外ランプ（固視灯２００，グレアランプ５００等）を点灯させるようになっている。
【０１０５】
この構成によれば、視標表示器２ａに設けられた表示画面外ランプ（固視灯２００，グレアランプ５００等）の点灯制御を少ない部品点数で行うことができる。
【０１０６】
また、この発明の実施の形態の検眼システムにおいて、画面外ランプは前記表示画面の上側に設けられた固視灯２００であり、前記モード検出用画像信号はマドックスロッドを用いた斜位検査の信号としている。
【０１０７】
この構成によれば、視標表示器２ａに設けられた表示画面外ランプを固視灯２００とし、モード検出用画像信号をマドックスロッドを用いた斜位検査の信号としているので、マドックスロッドを用いた斜位検査のための固視灯２００の点灯制御を少ない部品点数で行うことができる。尚、固視灯の点灯のためのモード検出用画像信号を黒又は黒に近い色の暗画像信号としているが、固視灯の点灯のためのモード検出用画像信号は黒又は黒に近い色の暗画像信号に限定されるものではない。例えば、黒又は黒に近い色の暗画像信号を出力する前に、マドックスロッドを用いた斜位検査用のチャートの画像信号を固視灯の点灯のためのモード検出用画像信号として視標表示器２ａに入力しても良い。また、固視灯の点灯のためのモード検出用画像信号として、黒又は黒に近い色の画像及びこの黒又は黒に近い色の画像と区別のつかない程度に同じ色の画像が表示画面に同時に表示されるような画像信号としても良い。
【０１０８】
更に、この発明の実施の形態の検眼システムにおいて、前記モード検出用画像信号は黒又は黒に近い色の暗画像信号となっている。
【０１０９】
この構成によれば、モード検出用画像信号は黒又は黒に近い色の暗画像信号となっているので、斜位検査のための固視灯の点灯制御を迅速に実行できる。
【０１１０】
また、この発明の実施の形態の検眼システムにおいて、画面外ランプは前記表示画面の周囲に設けられたグレアランプ５００であり、前記モード検出用画像信号はグレアテストモード検出用画像信号を含まれている。
【０１１１】
この構成によれば、視標表示器２ａに設けられた表示画面外ランプをグレアランプ５００とし、モード検出用画像信号をグレアテストモード検出用画像信号としているので、グレアテストのためのグレアランプ５００の点灯制御を少ない部品点数で行うことができる。
【０１１２】
この発明の実施の形態の記載の検眼システムにおいては、画面外ランプの点灯を必要とする検眼モードのモード検出用画像信号が画像信号に含まれる場合に、画面外ランプを点灯させることとしたが、モード検出用画像信号は、特定のものに限られない。例えば、画像表示に用いられてない制御信号をモード検出用画像信号として用いても良い。また、画像信号に含まれていた特定の画像信号がカットされた際に画面表示をやめ、画面外ランプを点灯させるように構成してもよい。例えば、画像信号の水平同期信号、垂直同期信号のうちどちらかがカットされると、画像表示が正常に行われなくなる。よって画面表示をやめ、画面外ランプを点灯させる。このように画像信号に水平同期信号と垂直同期信号が含まれている場合に、画像信号に含まれていた水平同期信号（又は垂直同期信号）がカットされたとき、水平同期信号の含まれない画像信号（又は垂直同期信号含まれない画像信号）を、検眼モードのモード検出用画像信号と判断し、前記画面外ランプを点灯させるように構成してもよい。
【符号の説明】
【０１１３】
１・・・メイン制御装置
２・・・視標提示装置
２ａ・・・視標表示器
２ｄ・・・表示器本体
２ｄ１・・・表示部（表示場面）
３・・・コントローラ（視標選択装置）
２００・・・固視灯（表示画面外ランプ）
３１４・・・メイン制御回路
５００・・・グレアランプ（表示画面外ランプ）
【図１】
0005749511.tif 000003
【図２】
0005749511.tif 000004
【図３】
0005749511.tif 000005
【図４】
0005749511.tif 000006
【図５】
0005749511.tif 000007
【図５Ａ】
0005749511.tif 000008
【図５Ｂ】
0005749511.tif 000009
【図６】
0005749511.tif 000010
【図６Ａ】
0005749511.tif 000011
【図７】
0005749511.tif 000012
【図８】
0005749511.tif 000013
【図９】
0005749511.tif 000014
【図１０】
0005749511.tif 000015
【図１１】
0005749511.tif 000016